(57)【特許請求の範囲】
【請求項１】
椅子本体の椅子座面に載置される歯科診療椅子用流体膨縮式多段クッションであって、
表面材と、裏面材と、前記表面材、裏面材の周辺部内側同士を単数枚又は複数枚の中仕切り材を用いて内部を少なくとも２層以上に区画するように連結して少なくとも２層重合以上の流体袋を形成し、各層の流体袋の厚さを個別に変化し得るように折り畳み式とした多段蛇腹形態の伸縮式側面材とを具備する流体クッション本体と、
前記流体クッション本体の各流体袋に対する流体注入・流体排気を個別に行う流体供給制御御手段と、
を有し、
前記表面材又は裏面材が形成する患者用の座面面積を一定としつつ前記流体クッション本体の各流体袋に対する流体供給制御手段による個別の流体の注入量に応じた多段の伸縮式側面材の個別の伸縮により流体クッション本体の前記各層の厚さのみを個別に膨縮させる構成とした歯科診療椅子用流体膨縮式多段クッションにおいて、
前記少なくとも２層重合以上の各流体袋内には、各々所定間隔を有する複数並列配置で、かつ、上下に隣り合う各層で交差配置とするとともに、流体の注入量に応じて厚さ方向に伸縮する折り畳み式の補強伸縮材を設けたことを特徴とする歯科診療椅子用流体膨縮式多段クッション。
【請求項２】
前記流体供給制御手段は、流体クッション本体に供給する流体の流量調節を行う電動流量調節弁と、電動流量調節弁に接続され、この電動流量調節弁からの流体の流体クッション本体内各層への供給と、流体クッション本体内各層からの流体排気の外部への吐出とを切り換える電動三方弁と、電動三方弁と流体クッション本体内各層との間に接続した各ソレノイドバルブと、前記電動流量調節弁、電動三方弁、各ソレノイドバルブの動作制御を行う給排気コントローラーと、を有することを特徴とする請求項１記載の歯科診療椅子用流体膨縮式多段クッション。
【請求項３】
椅子本体の座面に流体膨縮式多段クッションを一体配置した流体膨縮式多段クッション付歯科診療椅子であって、
前記椅子本体の座面に一体配置した前記流体膨縮式多段クッションは、
患者着座用の表面材と、椅子本体の座面と一体化した裏面材と、前記表面材、裏面材の周辺部内側同士を単数枚又は複数枚の中仕切り材を用いて内部を少なくとも２層以上に区画するように連結して少なくとも２層重合以上の流体袋を形成し、前記各層の流体袋の厚さを個別に変化し得るように折り畳み式とした多段蛇腹形態の伸縮式側面材とを具備する流体クッション本体と、
前記流体クッション本体の各流体袋に対する流体注入・流体排気を個別に行う流体供給制御御手段と、
を有し、
前記表面材又は裏面材が形成する患者用の座面面積を一定としつつ前記流体クッション本体の各流体袋に対する流体供給制御手段による個別の流体の注入量に応じた多段の伸縮式側面材の個別の伸縮により流体クッション本体の各層の厚さのみを個別に膨縮させる構成としたことを特徴とする流体膨縮式多段クッション付歯科診療椅子。
【請求項４】
前記少なくとも２層重合以上の各流体袋内には、各々所定間隔を有する複数並列配置で、かつ、上下に隣り合う各層で交差配置とするとともに、流体の注入量に応じて厚さ方向に伸縮する折り畳み式の補強伸縮材を設けたことを特徴とする請求項３記載の流体膨縮式多段クッション付歯科診療椅子。
【請求項５】
前記流体供給制御手段は、流体クッション本体に供給する流体の流量調節を行う電動流量調節弁と、電動流量調節弁に接続され、この電動流量調節弁からの流体の流体クッション本体内各層への供給と、流体クッション本体内各層からの流体排気の外部への吐出とを切り換える電動三方弁と、電動三方弁と流体クッション本体内各層との間に接続した各ソレノイドバルブと、前記電動流量調節弁、電動三方弁、各ソレノイドバルブの動作制御を行う給排気コントローラーと、を有することを特徴とする請求項３又は４記載の流体膨縮式多段クッション付歯科診療椅子。
【発明の詳細な説明】
【技術分野】
【０００１】
本発明は、歯科診療椅子用流体膨縮式多段クッション及び流体膨縮式多段クッション付歯科診療椅子に関するものである。
【背景技術】
【０００２】
歯科診療ユニットに患者を導き、歯科診療椅子の座面に患者を座らせて歯科診療を行う際、歯科診療ユニットの歯科診療椅子は一般成人の平均的身長に対応して作られている為、例えば身長１５０ｃｍ以下の背の低い人、身体が不自由な人等の患者の場合、その頭部（口腔部）の高さが一般成人の場合よりも低い。このため、歯科診療椅子のヘッドレストに後頭部が正しく収まらず、当該患者の口腔位置が不安定となり、歯科医師は歯科診療を的確・安全に行えず、さらに歯科診療ユニットにおけるスピットンの位置は当該患者の口腔の位置より相対的に高位置となってしまい、この結果、当該患者がうがい水をスピットン内に吐くことが困難となる事態が発生している。
【０００３】
また、例えば背の低い患者の場合、歯科診療椅子のバックレストを倒した後に、当該患者の頭部をヘッドレストに正しく収納保持するために、当該患者の脇部に手を入れて当該患者の身体を引き上げヘッドレストに頭部を載せるという煩雑な事態も生じている。
【０００４】
このような事態に対処するために、図１１に示すように、エアーの注入状態で各区画の形状（断面形状）が略円形となるクッション部を６区画分連設したエアークッションを診療椅子の座面に置き、このエアークッション５１上に患者を座らせ、歯科診療を行うことも一案であるが、このエアークッション５１の場合、以下のような不都合な事態が生じる。
【０００５】
すなわち、前記エアークッション５１の１区画の幅について考察すると、図１２に示すように、前記エアークッション５１にエアーを注入しないときには、１区画の幅Ｗ１＝略πｒと近似できる。
一方、前記エアークッション５１にエアーを入れて膨らますと、その形状は断面略円形となり、１区画の幅Ｗ２＝２ｒとなる。
【０００６】
したがって、エアーの注入の有無による１区画の幅の変化はＷ２／Ｗ１＝２ｒ／πｒ＝０．６４となり、エアーの注入により１区画の幅は、略０．６４倍に縮減してしまう。
【０００７】
この結果、エアークッション５１全体の幅Ｗ０についても同様に略０．６４倍に縮減してしまうことになる。
【０００８】
このようにエアーの注入の有無により、エアークッション５１全体の幅（ここでは当該患者の大腿部の長さ方向とする）Ｗ０が４０％近くも変化してしまうと、歯科診療椅子の座面に座る当該患者の座位が安定化せず、当該患者の頭部（口腔部）の高さを適正位置（歯科診療時の当該患者の口腔位置、また、当該患者がうがい水をスピットン内に容易に吐くことができる位置）とすることは困難となってしまう。
【０００９】
特許文献１には、歯科用治療椅子のバックレスト及びコンターシートの上面にエアーバッグを配設し、該エアーバッグに導入するエアーの量を患者自身が操作できる操作スイッチにより調節して、そのエアーバッグを患者の好みや体形に合ったエアークッションとして使用できるようにした発明が開示されている（特許文献１：図１等）。
【００１０】
しかし、この特許文献１の歯科用治療椅子の場合においても、例えば背の低い人、身体が不自由な人、麻酔を受けた人等多様な身体的特徴を有する個々の患者に的確に対応することは困難であると推定される。
【先行技術文献】
【特許文献】
【００１１】
【特許文献１】特開２０１１−１８３０４６号公報
【発明の概要】
【発明が解決しようとする課題】
【００１２】
本発明が解決しようとする問題点は、背の低い人、身体が不自由な人、麻酔を受けた人等多様な身体的特徴を有する個々の患者に対して、各々の頭部をヘッドレストに簡略かつ確実に収め、歯科医師は的確・安全な歯科診療を可能とし、当該患者はうがい水等を支障なくスピットンに吐くことを可能とするような歯科用治療椅子用の補助用具が存在しない点である。
【課題を解決するための手段】
【００１３】
本発明は、椅子本体の椅子座面に載置される歯科診療椅子用流体膨縮式多段クッションであって、表面材と、裏面材と、前記表面材、裏面材の周辺部同士を連結するとともに、前記表面材、裏面材間の厚さを変化させるように伸縮可能とした伸縮式側面材とを具備し、内部を流体袋構造とした多段式の流体クッション本体と、前記流体クッション本体に対する流体注入・流体排気を行う流体供給制御手段と、を有し、前記表面材又は裏面材が形成する患者用の座面面積を一定としつつ前記流体クッション本体に対する流体供給制御手段による流体の注入量に応じた前記伸縮式側面材の伸縮により多段式の流体クッション本体の厚さのみを膨縮させる構成としたことを最も主要な特徴とする。
【発明の効果】
【００１５】
請求項１記載の発明によれば、流体クッション本体を少なくとも２層重合以上の流体袋構造とし、かつ、各層の流体袋の厚さを個別に調節可能とした構成の基に、各層の流体袋の厚さを個別に調節して、請求項１記載の発明の場合と同様、一般成人に比べて背が低い等、異なる身体的特徴のある患者でも、安定して座位を維持することができるので、その頭部をスピットンへのうがい水の吐出等に支障が無い適正位置に導き、かつ、頭部がヘッドレストに正しく収納保持されるので、安心して歯科診療を受けられることが可能となり、また、歯科医師はこのような患者に対して的確・安全に当該患者の歯科診療を実施することが可能な歯科診療椅子用流体膨縮式多段クッションを提供することができる。
【００１６】
そして特にその構成上、少なくとも２層重合以上の各流体袋内には、各々所定間隔を有する複数並列配置で、かつ、上下に隣り合う各層で交差配置とするとともに、流体の注入量に応じて厚さ方向に伸縮する折り畳み式の補強伸縮材を設けているので、流体クッション本体に作用する患者の体重に対するこの流体クッション本体自体の剛性を高めることができる歯科診療椅子用流体膨縮式多段クッションを提供することができる。
【００１７】
請求項２記載の発明によれば、請求項１記載の発明の効果を奏し、かつ、流体クッション本体内の少なくとも２層以上の流体袋に対する個別の流体供給、個別の流体排気を確実に行い、流体クッション本体の厚さを各種の患者に応じて的確に調節することができる歯科診療椅子用流体膨縮式多段クッションを提供することができる。
【００１９】
請求項３記載の発明によれば、歯科診療椅子の椅子本体の座面に裏面材を一体化して予め流体膨縮式多段クッションを一体に備え、かつ、流体クッション本体を少なくとも２層以上の流体袋構造とし、各層の流体袋の厚さを個別に調節可能とした構成の基に、請求項５記載の発明の場合と同様な効果を奏する流体膨縮式多段クッション付歯科診療椅子を提供することができる。
【００２０】
請求項４記載の発明によれば、請求項６記載の発明と同様な効果を奏し、かつ、内装した折り畳み式の補強伸縮材により流体クッション本体に作用する患者の体重に対するこの流体クッション本体自体の剛性を高めることができる流体膨縮式多段クッション付歯科診療椅子を提供することができる。
【００２１】
請求項５記載の発明によれば、請求項６又は７記載の発明の効果を奏し、かつ、流体クッション本体内の少なくとも２層以上の流体袋に対する個別の流体供給、個別の流体排気を確実に行い、流体クッション本体の厚さを各種の患者に応じて的確に調節することができる流体膨縮式多段クッション付歯科診療椅子を提供することができる。
【図面の簡単な説明】
【００２２】
【図１】図１は本発明の実施例１に係る歯科診療椅子用流体膨縮式多段クッションの流体クッション本体の一例であるエアークッション本体及び流体供給制御手段の一例であるエアー供給制御手段の概略全体構成図である。
【図２】図２は本実施例１に係る歯科診療椅子用流体膨縮式多段クッションのエアークッション本体を歯科診療椅子の座面に設置した状態を示す概略側面図である。
【図３】図３は本実施例１に係る歯科診療椅子用流体膨縮式多段クッションのエアークッション本体の部分拡大断面図である。
【図４】図４は本実施例１に係る歯科診療椅子用流体膨縮式多段クッションのエアークッション本体内の上層エアー袋部、中層エアー袋部、下層エアー袋部に各層交差配置に内装する補強伸縮材の奥行方向の配置を示す概略部分説明図である。
【図５】図５は本実施例１に係る歯科診療椅子用流体膨縮式多段クッションのエアークッション本体内の上層エアー袋部、中層エアー袋部、下層エアー袋部に各層交差配置に内装する補強伸縮材の幅方向の配置を示す概略部分説明図である。
【図６】図６は本実施例１に係る補強伸縮材のエアー量に応じた厚さ方向の伸縮状態を示す説明図である。
【図７】図７は本実施例１に係るエアー供給制御手段のエアー給排気コントローラーの構成例を示す概略図である。
【図８】図８は本実施例１に係る歯科診療椅子用流体膨縮式多段クッションのエアークッション本体を歯科診療椅子の座面への設置の有無に応じた患者の座位調節状態を示す概略説明図である。
【図９】図９は本実施例１に係る歯科診療椅子用流体膨縮式多段クッションにおけるエアークッション本体のエアー量に応じた厚さ方向の伸縮状態を示す概略説明図である。
【図１０】図１０は本発明の実施例２に係る流体膨縮式多段クッション付歯科診療椅子用の概略側面図である。
【図１１】図１２は従来のエアークッションの概略斜視図である。
【図１２】図１２は従来のエアークッションにおける１区画の幅寸法のエアー注入有無による比較説明図である。
【発明を実施するための形態】
【００２３】
本発明は、背の低い人、身体が不自由な人、麻酔を受けた人等多様な身体的特徴を有する個々の患者に対して、各々の頭部をヘッドレストに簡略かつ確実に収め、歯科医師は的確・安全な歯科診療を可能とし、当該患者はうがい水等を支障なくスピットンに吐くことを可能とする歯科診療椅子用流体膨縮式多段クッションを提供するという目的を、椅子本体の椅子座面に載置される歯科診療椅子用流体膨縮式多段クッションであって、  表面材と、裏面材と、前記表面材、裏面材の周辺部内側同士を単数枚又は複数枚の中仕切り材を用いて内部を少なくとも２層以上に区画するように連結して少なくとも２層重合以上の流体袋を形成し、各層の流体袋の厚さを個別に変化し得るように折り畳み式とした多段蛇腹形態の伸縮式側面材とを具備する流体クッション本体と、前記流体クッション本体の各流体袋に対する流体注入・流体排気を個別に行う流体供給制御手段と、を有し、前記表面材又は裏面材が形成する患者用の座面面積を一定としつつ前記流体クッション本体の各流体袋に対する流体供給制御手段による個別の流体の注入量に応じた多段の伸縮式側面材の個別の伸縮により流体クッション本体の前記各層の厚さのみを個別に膨縮させる構成により実現した。
【００２４】
以下に本発明の実施例に係る歯科診療椅子用流体膨縮式多段クッション及び流体膨縮式多段クッション付歯科診療椅子について図面を参照して詳細に説明する。
【実施例１】
【００２５】
本発明の実施例１は、歯科診療椅子用流体膨縮式多段クッションの一例として、流体の一例としてエアーを採用し、歯科診療椅子用エアー膨縮式多段クッション１とした場合を示すものであり、図１乃至図９を参照して詳細に説明する。
【００２６】
本実施例１に係る歯科診療椅子用流体膨縮式多段クッションの一例である歯科診療椅子用エアー膨縮式多段クッション１は、表面材１１と、裏面材１２と、前記表面材１１、裏面材１２の周辺部同士を全周にわたって連結するとともに、前記表面材１１、裏面材１２間の厚さを変化させるように蛇腹状形態で折り畳み式で高さ方向に伸縮可能とした伸縮式側面材１３とを具備し、内部を流体袋構造であるエアー袋構造とした流体クッション本体の一例であるエアークッション本体２と、前記エアークッション本体２に対する流体であるエアーの注入・流体であるエアーの排気を行う流体供給制御手段の一例としてのエアー供給制御手段２１とを有し、前記エアークッション本体２を図２に示すように歯科診療椅子３の椅子本体のコンターシート４の座面に載せ、このコンターシート４の載せたエアークッション本体２上に座る例えば子供等の背の低い患者Ｍの頭部を含む座位を、前記エアー供給制御手段２１から供給されるエアーによる前記エアークッション本体２の膨縮により厚さを高低に調節可能に構成している。
【００２７】
前記エアークッション本体２は、例えば表面材１１、裏面材１２の幅をともに４８０ｃｍ、奥行を４８０ｃｍの寸法に設定し、平面視で正方形状を呈するように形成している。
【００２８】
また、表面材１１、裏面材１２及び伸縮式側面材１３は、いずれもその表材を例えば布材、裏材を合成樹脂材とした二重構造で、表面材１１、裏面材１２及び伸縮式側面材１３の接合部分を溶着等により密に結合して、内部に入れるエアーが外部に漏出しないエアー袋構造としている。
【００２９】
前記歯科診療椅子３の椅子本体は、図２に示すように、コンターシート４、バックレスト５及びヘッドレスト６等を備え、バックレスト５の後傾作動に連動してコンターシート４のチルトが可能であり、かつ、コンターシート４、バックレスト５、ヘッドレスト６全体が基台７内に設けられた図示しない昇降機構により上下動可能となるように構成している。
【００３０】
前記エアークッション本体２について、図３乃至図５を参照してさらに詳述する。
【００３１】
前記エアークッション本体２は、既述したように、表面材１１と、裏面材１２と、伸縮式側面材１３とを有し、さらに、図３に示すように、伸縮式側面材１３を３段折り畳み形式とし、その内部において一段目と二段目、二段目と三段目との間を各々合成樹脂製のシート材などからなる第１中仕切り材１４、第２中仕切り材１５により区画し、かつ、第１中仕切り材１４、第２中仕切り材１５の周辺部と前記伸縮式側面材１３との接合部を溶着等により密に接合して、上層エアー袋部１６ａ、中層エアー袋部１６ｂ、下層エアー袋部１６ｃからなる３層のエアー袋構造としている。
【００３２】
前記エアークッション本体２の内部には、図４、図５に示すように、例えば合成樹脂材からなり、断面Σ形状で空気量の大小（空気圧の高低）に応じて上片１７ａの下面、下片１７ｂの上面に作用する空気圧の作用により厚さ方向に変形するとともに、例えば長さ４００ｍｍ程度に形成した補強伸縮材１７を多数列設している。
【００３３】
すなわち、図４、図５に示すように、前記上層エアー袋部１６ａ内には、奥行方向に一定の間隔を隔てる状態で幅方向に沿った多数の補強伸縮材１７を列設し、前記中層エアー袋部１６ｂには、幅方向に一定の間隔を隔てる状態で奥行方向に沿った多数の補強伸縮材１７を列設し、さらに、下層エアー袋部１６ｃには上層エアー袋部１６ａ内と同様に奥行方向に一定の間隔を隔てる状態で幅方向に沿った多数の補強伸縮材１７を列設している。
【００３４】
このように、上層エアー袋部１６ａ内の補強伸縮材１７と、中層エアー袋部１６ｂ内の補強伸縮材１７とは９０度交差配置とし、また、中層エアー袋部１６ｂ内の補強伸縮材１７と下層エアー袋部１６ｃ内の補強伸縮材１７とは９０度交差配置として、上層エアー袋部１６ａ、中層エアー袋部１６ｂ、下層エアー袋部１６ｃ内の各補強伸縮材１７が交互に交差する配置形態としている。
【００３５】
前記補強伸縮材１７は、前記エアークッション本体２上に患者Ｍが座った場合に、図７に示すように、空気圧の作用下で前記エアークッション本体２の厚さ方向の剛性を補強するように機能する。
【００３６】
次に、図１及び図７を参照して、前記歯科診療椅子用エアー膨縮式多段クッション１のエアー供給制御手段２１について詳述する。
【００３７】
前記エアー供給制御手段２１は、図１に示すように、図示しない歯科診療ユニットのエアー供給源に連結する連結栓２０と、この連結栓２０に接続した逆止弁２２と、逆止弁２２に接続したエアーレギュレータ２３と、エアーレギュレータ２３からのエアーの圧力を測定する圧力計２４と、エアーレギュレータ２３に接続したフィルター２５と、フィルター２５からの排気エアーの吐出又は吐出停止を行う排気弁２６と、フィルター２５に接続されエアークッション本体２に供給するエアーの流量調節を行う電動流量調節弁２７と、電動流量調節弁２７に接続され、この電動流量調節弁２７からのエアーのエアークッション本体２への供給と、エアークッション本体２からの排気エアーの外部への吐出とを切り換える電動三方弁２８と、電動三方弁２８とエアークッション本体２との間に接続した上層用ソレノイドバルブ２９ａ、中層用ソレノイドバルブ２９ｂ及び下層用ソレノイドバルブ２９ｃと、前記電動流量調節弁２７、電動三方弁２８、上層用ソレノイドバルブ２９ａ、中層用ソレノイドバルブ２９ｂ及び下層用ソレノイドバルブ２９ｃの動作制御を行う給排気コントローラー３０と、を有している。
【００３８】
前記上層用ソレノイドバルブ２９ａ、中層用ソレノイドバルブ２９ｂ及び下層用ソレノイドバルブ２９ｃには、前記電動三方弁２８を経て電動流量調節弁２７からのエアーが各々供給され、また、供給されたエアーはこれら上層用ソレノイドバルブ２９ａ、中層用ソレノイドバルブ２９ｂ及び下層用ソレノイドバルブ２９ｃから３本のエアーパイプ３１ａ、３１ｂ、３１ｃ、３個の供給栓３２ａ、３２ｂ、３２ｃを経て前記上層エアー袋部１６ａ、中層エアー袋部１６ｂ、下層エアー袋部１６ｃ内に各々供給するように構成している。
【００３９】
さらに、前記上層エアー袋部１６ａ、中層エアー袋部１６ｂ、下層エアー袋部１６ｃからエアーを排気する際には、上述した場合とは逆に、３個の供給栓３２ａ、３２ｂ、３２ｃから３本のエアーパイプ３１ａ、３１ｂ、３１ｃを経て前記上層用ソレノイドバルブ２９ａ、中層用ソレノイドバルブ２９ｂ及び下層用ソレノイドバルブ２９ｃに至り、さらに前記電動三方弁２８から外部に排気するように構成している。
【００４０】
図７は、前記給排気コントローラー３０の概略構成例を示すものであり、前記電動流量調節弁２７を通過するエアー量を大小に調節する流量調節ダイヤル３３と、前記電動三方弁２８を吸気状態又は排気状態に切り換える三方弁切換スイッチ３４と、前記上層用ソレノイドバルブ２９ａ、中層用ソレノイドバルブ２９ｂ及び下層用ソレノイドバルブ２９ｃを個別に開閉する上層用ソレノイドバルブスイッチ３５ａ、中層用ソレノイドバルブスイッチ３５ｂ、下層用ソレノイドバルブスイッチ３５ｃと、を具備している。
【００４１】
次に、本実施例１に係る歯科診療椅子用エアー膨縮式多段クッション１の使用例について、主に図１、図２、図８、図９を参照して説明する。
【００４２】
前記歯科診療椅子３のコンターシート４上に、前記エアークッション本体２を載せない状態で、このコンターシート４の座面に例えば背の低い子供等の患者Ｍを座らせると、図８右欄に示すように、この患者Ｍの頭部はヘッドレスト６に適正に収まらず、このため、スピットン３６の位置は患者Ｍの口腔の位置より相対的に高位置となって、当該患者Ｍがうがい水をスピットン内に吐くことが困難となってしまう。
【００４３】
本実施例１においては、図８左欄に示すように、前記歯科診療椅子３のコンターシート４上に、エアークッション本体２を載せ、このエアークッション本体２の表面材１１が形成する座面に背の低い子供等の患者Ｍを座らせ、既述したような構成からなる前記エアー供給制御手段２１を動作させて、エアークッション本体２内に適正量のエアーを供給し、エアークッション本体２の全体の厚さを図９に示すように高低に調節し、前記患者Ｍの頭部がヘッドレスト６に適正に収まるような状態とする。
【００４４】
これにより、前記患者Ｍは、ヘッドレスト６に確実に収まり、患者Ｍの口腔の位置とスピットン３６の位置と相対的に適正な状態となって、当該患者Ｍはうがい水をスピットン３６内に何等支障無く吐くことが可能となる。
【００４５】
また、前記エアークッション本体２は、その厚さが図９に示すように高低に変化する場合においても、伸縮式側面材１３が厚さ方向に伸縮するだけで、表面材１１の座面の面積は何等変更されることはなく、前記患者Ｍを上述した適正位置に確実に座らせた状態を維持することができる。
【００４６】
尚、本実施例１の歯科診療椅子用エアー膨縮式多段クッション１において、前記エアークッション本体２の表面材１１、裏面材１２、伸縮式側面材１３の中間部の各外周全体を各々囲むように図示しないが四角形状の周辺突片部を各々突出させ、これらに紐等を挿通する小穴部を設けて、小穴部に紐等を挿通することで、このエアークッション本体２を紐等を利用してコンターシート４に離脱しないように結び付けたり、エアークッション本体２を折り畳んだ際に紐等を利用してその外周を縛り付け、収納の便宜を図ったりすることも可能である。
【００４７】
以上説明した本実施例１に係る歯科診療椅子用エアー膨縮式多段クッション１によれば、一般成人に比べて背が低い等、異なる身体的特徴のある種々の患者Ｍでも安心して歯科診療を受けることが可能となり、また、歯科医師はこのような患者に対して的確・安全に当該患者の歯科診療を実施することが可能となる。
【００４８】
尚、上述した実施例１に係る歯科診療椅子用エアー膨縮式多段クッション１においては、前記エアークッション本体２内のエアー袋を３層重合構造、前記伸縮式側面材１３を３段折り畳み構造とした構成について説明したが、この他、前記エアークッション本体２内のエアー袋を２層重合構造、前記伸縮式側面材１３を２段折り畳み構造としたエアー膨縮式多段クッションや、前記エアークッション本体２内のエアー袋を４層重合構造、前記伸縮式側面材１３を４段折り畳み構造としたエアー膨縮式多段クッションを構成することももちろん可能であり、エアークッション本体２内のエアー袋の層数、伸縮式側面材１３の折り畳み段数は特に限定するものではない。
【００４９】
また、以上の本実施例１に係る説明では、歯科診療椅子用流体膨縮式多段クッションの一例である歯科診療椅子用エアー膨縮式多段クッション１について説明したが、本実施例１は上述した構成の歯科診療椅子用エアー膨縮式多段クッション１に限定されるものではない。
【００５０】
すなわち、上述したようなエアー膨縮式多段クッション１の他に、このエアー膨縮式多段クッション１と同様な構成で、かつ、流体クッション本体に対して、エアーに替えて、流体の他例である窒素、ヘリウム、二酸化炭素、アルゴンガス等のうちのいずれかの気体を注入又は排気するように構成した気体膨縮式多段クッションとしたり、又は、前記エアー膨縮式多段クッション１と同様な構成で、かつ、流体クッション本体に対して、水、油、溶液等のうちのいずれかの液体を注水又は排水するように構成した液体膨縮式多段クッションとすることも可能であり、これら気体膨縮式多段クッションや液体膨縮式多段クッションの流体クッション本体構造を採用した場合においても、実施例１のエアー膨縮式多段クッション１の場合と同様な作用、効果を発揮させることができる。
【００５１】
また、上述した気体膨縮式多段クッションや液体膨縮式多段クッションの場合においても、流体クッション本体内の流体袋の層数、伸縮式側面材の折り畳み段数は特に限定するものではないことは既述した場合と同様である。
【実施例２】
【００５２】
次に、図１０を参照して本発明の実施例２に係るエアー膨縮式多段クッション１付の歯科診療椅子３Ａについて説明する。
【００５３】
図１０に示す歯科診療椅子３Ａは、前記エアー膨縮式多段クッション１におけるエアークッション本体２の裏面材１２を例えば逢着等により前記コンターシート４の座面と一体化し歯科診療椅子３Ａとしたことが特徴であり、同図には図示しないが、この他のエアー供給制御手段２１等の構成、作用効果は実施例１の場合と同様である。
【００５４】
本実施例２に係るエアー膨縮式多段クッション１付の歯科診療椅子３Ａによれば、予めコンターシート４の座面に一体化した実施例１の場合と同様なエアー膨縮式多段クッション１を備える構成の基に、図８に示す場合と同様に、背の低い患者Ｍの頭部を、ヘッドレスト６に確実に収め、患者Ｍの口腔の位置とスピットン３６の位置とを相対的に適正な状態として、当該患者Ｍはうがい水をスピットン３６内に何等し支障無く吐くことが可能な状態を実現でき、既述した場合と同様、一般成人に比べて背が低い等、異なる身体的特徴のある種々の患者Ｍでも安心して歯科診療を受けることが可能となり、また、歯科医師はこのような患者に対して的確・安全に当該患者の歯科診療を実施することが可能となる。
【００５５】
本実施例２に係るエアー膨縮式多段クッション１付の歯科診療椅子３Ａの場合においても、エアークッション本体２内のエアー袋の層数、伸縮式側面材１３を折り畳み段数は特に限定するものでないことは実施例１の場合と同様である。また、本実施例２の場合においても、既述した気体膨縮式多段クッションや液体膨縮式多段クッションの流体クッション本体構造を採用し得ることも言うまでもない。
【産業上の利用可能性】
【００５６】
本発明は、頭部の高さが低い、身長１５０ｃｍ以下の患者（設計基準の身長最低値）、女性・子供等の患者、麻酔を受けた患者、麻痺委等の障害のある患者等の歯科診療に好適に適用可能である。
【符号の説明】
【００５７】
１    エアー膨縮式多段クッション（流体膨縮式多段クッション）
２    エアークッション本体（流体クッション本体）
３    歯科診療椅子
３Ａ  歯科診療椅子
４    コンターシート
５    バックレスト
６    ヘッドレスト
７    基台
１１    表面材
１２    裏面材
１３    伸縮式側面材
１４    第１中仕切り材
１５    第２中仕切り材
１６ａ  上層エアー袋部
１６ｂ  中層エアー袋部
１６ｃ  下層エアー袋部
１７    補強伸縮材
１７ａ  上片
１７ｂ  下片
２０    連結栓
２１    エアー供給制御手段（流体供給制御手段）
２２    逆止弁
２３    エアーレギュレータ
２４    圧力計
２５    フィルター
２６    排気弁
２７    電動流量調節弁
２８    電動三方弁
２９ａ  上層用ソレノイドバルブ
２９ｂ  中層用ソレノイドバルブ
２９ｃ  下層用ソレノイドバルブ
３０    給排気コントローラー
３１ａ  エアーパイプ
３１ｂ  エアーパイプ
３１ｃ  エアーパイプ
３２ａ  供給栓
３２ｂ  供給栓
３２ｃ  供給栓
３３    流量調節ダイヤル
３４    三方弁切換スイッチ
３５ａ  上層用ソレノイドバルブスイッチ
３５ｂ  中層用ソレノイドバルブスイッチ
３５ｃ  下層用ソレノイドバルブスイッチ
３６    スピットン
Ｍ    患者
【図１】
0006401517.tif 000002
【図２】
0006401517.tif 000003
【図３】
0006401517.tif 000004
【図４】
0006401517.tif 000005
【図５】
0006401517.tif 000006
【図６】
0006401517.tif 000007
【図７】
0006401517.tif 000008
【図８】
0006401517.tif 000009
【図９】
0006401517.tif 000010
【図１０】
0006401517.tif 000011
【図１１】
0006401517.tif 000012
【図１２】
0006401517.tif 000013